(57)【特許請求の範囲】
【請求項１】
ハイビジョン番組及び標準番組が受信チャンネル内に混在し、ハイビジョン番組は標準番組用の複数のチャンネルを利用して放送されかつサービス情報が付加された、デジタルテレビジョン放送信号のアップ／ダウン選局装置であって、
前記デジタルテレビジョン信号を受信するチューナ部と、
前記チューナ部を制御して希望するチャンネルをアップ／ダウン選局することが可能な選局手段と、
前記選局手段によって選局したデジタルテレビジョン信号からサービス情報を分離しこのサービス情報を基に、該当番組がハイビジョン番組か標準番組かを判定し、ハイビジョン番組と判定した場合には、ハイビジョン番組に対応する前記複数のチャンネルを統合して単一のチャンネルとして処理し、該当番組が標準番組と判定した場合には、対応する標準番組の各チャンネルを独立チャンネルとして処理する処理手段と、
前記選局手段でハイビジョン番組を選局した場合に、前記ハイビジョン番組に対応する複数のチャンネルの全てのチャンネル表示を行うとともに、複数のチャンネルの内、選局されている実チャンネルを他のチャンネル表示と異なる形態で表示するチャンネル表示手段とを具備し、
前記選局手段では、ハイビジョン番組の複数の放送チャンネルを単一のチャンネルとしてアップ／ダウン選局動作を行うことを特徴とするアップ／ダウン選局装置。
【請求項２】
前記選局手段は、前記処理手段によって前記単一チャンネルとして処理した複数チャンネルの内、選局進行方向の最初の独立チャンネルを選局し、その他の独立チャンネルをスキップさせ、前記チャンネル表示手段は、前記最初の独立チャンネルを他の独立チャンネルの表示と異なる形態で表示することを特徴とする請求項１記載のアップ／ダウン選局装置。
【請求項３】
前記選局手段は、前記処理手段によって前記単一チャンネルとして処理した複数チャンネルの内、常に特定の独立チャンネルを選局し、その他の独立チャンネルをスキップさせ、前記チャンネル表示手段は、前記特定の独立チャンネルを他の独立チャンネルの表示と異なる形態で表示することを特徴とする請求項１記載のアップ／ダウン選局装置。
【請求項４】
前記選局手段は、ハイビジョン番組を選局している際に、ユーザ操作によって前記実チャンネルの変更を可能としたことを特徴とする請求項１記載のアップ／ダウン選局装置。
【発明の詳細な説明】
【０００１】
【発明の属する技術分野】
本発明は、今後放送の開始が予定されている衛星デジタル（ＢＳデジタル）テレビジョン放送、あるいは地上波デジタルテレビジョン放送等のハイビジョン番組を含むデジタルテレビジョン放送のチャンネル選局に際し、ハイビジョン番組を構成する複数のチャンネルを統合して単一のチャンネルとして処理し、選局操作を簡便化したアップ／ダウン選局装置に関する。
【０００２】
【従来の技術】
現在一般に放送されているテレビジョン放送には、大きく別けて地上波アナログ放送と衛星放送とに区分され、また衛星放送は、更に衛星アナログテレビジョン放送（ＢＳ放送）と、衛星デジタルテレビジョン放送（ＣＳ放送）とに区分される。このうち、地上波アナログ放送の一部チャンネルでは、通常の映像・音声等のテレビジョン信号以外に、電子番組ガイド（ＥＰＧ）情報をデータ情報として併せて送信し、受信側においてこのデータ情報を復調して、受像機の画面上にＥＰＧ画面を再生する方法も採用されている。
【０００３】
またＣＳ放送では、送信側において各種サービス名とアドレス、時刻データ、番組分類、番組番号、番組名等のサービス識別（ＳＩ）信号が映像・音声信号と共に送信されており、受信側において、これらＳＩ信号からまずサービスＩＤを指定して希望のチャンネルを選定し、次いでこのチャンネル内の各番組単位に割当てられているイベントＩＤを基に番組情報を選定し、受像機の画面中にＥＰＧ表示を行わせることが可能になっている。
【０００４】
このようなテレビジョン信号を受信して、希望のチャンネルを選局するには、チャンネルを予めプリセットしたダイレクトボタンによる選局、あるいは数字キーから直接希望のチャンネル番号を入力して選局するダイレクト選局、チャンネル番号順に順次チャンネルを切換えるアップ／ダウン選局、更にはＥＰＧ表示画面からのカーソル設定による選局等が行われている。
【０００５】
しかしながら、これらテレビジョン放送は、各放送局毎のチャンネル単位の編成として運用されており、このために選局は、全てチャンネル単位で切換えられるように構成されている。このために、アップ／ダウン選局を行う場合には、図８に示すように、各チャンネル単位にチャンネル番号の低い順、もしくは高い順からチャンネルアップもしくはダウンさせながら選局を行う方式が採られている。
【０００６】
ところで、我が国においては、ＢＳデジタルテレビジョン放送の開始が２０００年に予定されているが、このＢＳデジタルテレビジョン放送は、トレリス符号化８相ＰＳＫ変調の採用と、帯域幅の拡大により伝送容量の拡大を図り、且つ１つのＢＳチャンネルで複数のＭＰＥＧ−トランスポートストリーム（ＴＳ）を伝送することが可能となっており、またサービス内容に応じた伝送方式の選択が可能となる等の、柔軟性及び拡張性を備えた方式であって、デジタルハイビジョン（ＨＤＴＶ）放送を中心とした次世代の放送システムとして期待されている。
【０００７】
現在検討されている放送方式では、圧縮符号化された映像・音声・データの各々連続したデジタル信号を、一定の長さのブロックに分割し、これに番組を識別したり時刻等を表示するためのヘッダー情報を、各々の分割されたブロック毎に付加して多重化し、１つの伝送チャンネルで複数の番組などを伝送する仕様となっている。
【０００８】
この多重化技術には、ＭＰＥＧ−２の規格に準拠した方式が採用されており、符号化された夫々のデジタル信号を、例えばフレーム単位などに分割し、表示時刻等を表すヘッダー情報を付加し、更に一定の長さの信号に分割してパケットを構成し、このパケットにも信号種別を表すヘッダー情報を付加し、このヘッダー情報が付加された１８８バイトの長さのパケットを、トランスポートストリームパケット（ＴＳＰ）と呼び、多くの映像・音声・データのＴＳＰを束ねて時分割で多重して連続したものをＴＳと称し、受信側では、ＴＳＰのヘッダー情報によってデータ内容を識別しながら、同一のデータを連続させて再生することになる。
【０００９】
このＭＰＥＧ−２多重方式を利用したデジタルテレビジョン放送では、ＴＳが伝送チャンネルに相当し、各番組は分割されＴＳＰとして多重されていることになるので、受信側で目的にあったＴＳＰを選択することにより、複数の番組の中から希望のＴＳＰに付されているヘッダー情報から、同じ番組を選択して再生するものである。
【００１０】
このようなＢＳデジタルテレビジョン放送の特徴の一つに、ＨＤＴＶ放送がある。このＨＤＴＶの運用には、デジタル標準テレビジョン（ＳＤＴＶ）放送で使用する帯域の約３倍の帯域が必要となる。ＢＳデジタルテレビジョン放送方式では、１中継器内で複数の変調方式を事業者（放送局）が選択することが可能であり、その最小単位をスロットと称しているが、この事業者に２２スロットが割当てられた場合には、事業者がＨＤＴＶ放送を運用する場合には、２０スロットを使用し、２スロットをＳＩ情報等のヘッダー情報用等の送出に使用することになる。その反面、ＳＤＴＶ放送を運用する場合には、６スロットを使用して運用することになる。
【００１１】
ＢＳデジタルテレビジョン放送の認定事業者へのチャンネル割当ては、１チャンネル／１ＳＤＴＶ、あるいは１チャンネル／１ＨＤＴＶの規制があり、１チャンネル／１ＳＤＴＶ割当ての事業者がＨＤＴＶを運用する場合は、ＨＤＴＶにはＳＤＴＶの３チャンネル分の帯域を使用して運用するために、ＨＤＴＶとしてのチャンネルは、ＳＤＴＶの３チャンネルを統合した形となる。
【００１２】
即ち、Ｂ事業者に割当てられたＳＤＴＶ用のチャンネルが、１００ＣＨ、１０１ＣＨ，１０２ＣＨだとすると、ＨＤＴＶ放送時にはＨＤＴＶ用に専用のチャンネルが新規に割当てられるのではなく、あくまで１００ＣＨ，１０１ＣＨ、１０２ＣＨを利用して、同一内容のＨＤＴＶが運用されることになる。
【００１３】
【発明が解決しようとする課題】
この運用状態を解りやすく、図９を用いて説明すると、いまＢ放送事業者（Ｂ局）が、ＳＤＴＶ用のチャンネル１００〜１０２を利用して、「００」時から３０分間にわたりＨＤＴＶ放送を行う場合には、ＨＤＴＶ放送に携わる各チャンネルの１００ＣＨ，１０１ＣＨ，１０２ＣＨの各々を選局しても全て同一内容の番組が再生されることになる。従ってアップ／ダウン選局を行うと、図１０に示すように、このＨＤＴＶ放送に携わるチャンネルを順次１００ＣＨ〜１０２ＣＨまで、もしくは１０２ＣＨ〜１００ＣＨまで選局していくことになり、この間は同一内容の番組が繰返し選択されて表示されることになり、煩わしさを感じるばかりでなく、むしろ目障りな印象を与える結果となることが想定される。
【００１４】
本発明は、このような点に対処してなされたものであり、ＳＤＴＶ放送と認識した場合には、各チャンネル単位でアップ／ダウン選局を行い、ＨＤＴＶ放送と認識された場合には、ＨＤＴＶ放送に携わるＳＤＴＶ放送用の独立チャンネルを統合して１つのチャンネルとして処理し、アップ／ダウン選局を行わせることにより、同一内容のＨＤＴＶチャンネルを１単位として選局し、他の構成チャンネルをスキップさせて、同じチャンネルの重複選局動作から開放し、ＨＤＴＶ放送の選局時には、ＨＤＴＶ放送に携わる複数のチャンネルの内、選局している実チャンネルを他のチャンネル表示と異なる形態で表示するアップ／ダウン選局装置を提供することにある。
【００１５】
【課題を解決するための手段】
本発明は、ハイビジョン番組及び標準番組が受信チャンネル内に混在し、ハイビジョン番組は標準番組用の複数のチャンネルを利用して放送されかつサービス情報が付加された、デジタルテレビジョン放送信号のアップ／ダウン選局装置であって、前記デジタルテレビジョン放送信号を受信するチューナ部と、前記チューナ部を制御して希望するチャンネルをアップ／ダウン選局することが可能な選局手段と、前記選局手段によって選局したデジタルテレビジョン信号からサービス情報を分離しこのサービス情報を基に、該当番組がハイビジョン番組か標準番組かを判定し、ハイビジョン番組と判定した場合には、ハイビジョン番組に対応する前記複数のチャンネルを統合して単一のチャンネルとして処理し、該当番組が標準番組と判定した場合には、対応する標準番組の各チャンネルを独立チャンネルとして処理する処理手段と、前記選局手段でハイビジョン番組を選局した場合に、前記ハイビジョン番組に対応する複数のチャンネルの全てのチャンネル表示を行うとともに、複数のチャンネルの内、選局されている実チャンネルを他のチャンネル表示と異なる形態で表示するチャンネル表示手段とを具備し、前記選局手段では、ハイビジョン番組の複数の放送チャンネルを単一のチャンネルとしてアップ／ダウン選局動作を行うことを特徴とするアップ／ダウン選局装置である。
【００１８】
【発明の実施の形態】
以下、本発明の実施の形態について説明する。図１は本発明に係るアップ／ダウン選局装置の構成を示す回路構成図であって、パラボラアンテナ１１で受信されたＢＳデジタル放送信号は、ダウンコンバートされてチューナ１２に供給される。一方視聴者が操作選択するリモコン１３からは、希望の伝送チャンネルを選択すべくダイレクト選局操作の場合には、当該チャンネルのチャンネル番号が選択され、このチャンネルデータがリモコン１３からマイクロコンピュータ（マイコン）やメモリ等を有するコントロール回路１４に送信される。このコントロール回路１４にて受信されたチャンネルデータは、マイコンにて処理されデータが解読される。
【００１９】
この結果、ダイレクト選局信号であればチューナ１２に供給されて、チューナ１２で希望の伝送チャンネルが選択されて復調され、この復調されたデジタル信号列は、エラー訂正回路１５によって、この信号に誤りがあれば誤り訂正された後に、スクランブル制御回路１６に供給される。このスクランブル制御回路１６で、有料放送等のようなスクランブルが掛けられた信号は、スクランブルが解除されて元の信号にもどされ、多重データ分離回路１７に供給される。
【００２０】
この多重データ分離回路１７によって、音声信号及び映像信号、ＳＩ信号が分離され、音声信号はＭＰＥＧ音声再生回路１８に供給されて、圧縮前のデジタル信号に復号され、必要ならアナログ信号に変換された後に、陰極線管や液晶、プラズマディスプレイ等の表示手段を有するテレビ受像装置１９に供給され、同様に映像信号もＭＰＥＧ映像再生回路２０にて、圧縮前のデジタル信号に復号される。
【００２１】
このＭＰＥＧ映像再生回路２０の出力側には、オンスクリーンディスプレイ（ＯＳＤ）回路２１が接続されており、このＯＳＤ回路２１は、多重データ分離回路１７からのＳＩ信号を受ける、コントロール回路１４からのＯＳＤデータ信号を、映像再生回路２０からの信号と切換え、あるいは重畳してテレビ受像装置１９に供給する。
【００２２】
このコントロール回路１４は、前述のようにリモコン１３からの伝送チャンネルの選局を行う他に、多重データ分離回路１７からのＳＩ信号を処理し、ＯＳＤ回路２１にＯＳＤデータを供給すると共に、リモコン１３の設定・選択によって選択信号を、多重データ分離回路１７に供給する。この選択信号は、多数の番組が多重伝送されてくる伝送チャンネルから、希望の番組を選択するためのもので、これによって希望の番組の音声信号及び映像信号を、ＭＰＥＧ音声再生回路１８及びＭＰＥＧ映像再生回路２０に供給するものである。
【００２３】
また、リモコン１３のアップ／ダウン選局操作によってアップ／ダウン選局を行う場合には、アップ／ダウン選局信号がコントロール回路１４に送られて処理され、チューナ１２もしくは多重データ分離回路１７に送られて、受信したチャンネルを順次アップもしくはダウンさせる方向に選局し、アップ／ダウン選局が成される。
【００２４】
更に、ＥＰＧ表示を行う場合には、リモコン１３を操作してＥＰＧ表示を選択すると、テレビ受像装置１９の画面中に、ＥＰＧがコントロール回路１４からのＯＳＤデータによってＯＳＤ回路２１を動作させることにより表示される。このＥＰＧ画面を利用してカーソルを用いて番組を選択する場合には、リモコン１３の上下左右指定キーを操作して、画面中に表示されているカーソルを移動し、希望の番組の所で設定を指定することにより、希望のチャンネル（番組）を選択することができる。
【００２５】
ところでこのアップ／ダウン選局動作は、図２に示すコントロール回路１４のマイコンソフトの処理によって成され、この処理の結果によってアップ／ダウン選局動作が行われることになる。即ち、ステップＳ１でリモコン１３のアップ／ダウンキー操作がなされると、ステップＳ２で現在受信しているチャンネルがＨＤＴＶか否かをＳＩ信号からの情報で確認する。
【００２６】
ＨＤＴＶと判定した場合には、ステップＳ３でＨＤＴＶに携わる全チャンネルを統合する処理を行ってステップＳ４に進み、ステップＳ２でＨＤＴＶではないと判定、即ちＳＤＴＶと判定した場合には、ステップＳ４に進む。
【００２７】
このステップＳ４では、アップもしくはダウンされるべきチャンネルの状態を判定する。アップもしくはダウン選局によって切換えられるべき次のチャンネルがＨＤＴＶか否かを判定し、ＨＤＴＶ番組の場合には、ステップＳ５でＨＤＴＶを選局し、ＨＤＴＶではないと判定した場合には、ＳＤＴＶ選局動作を行う。
【００２８】
そして、ＨＤＴＶ選局を行った後に、ステップＳ６でチャンネルアップもしくはダウンの指示を確認し、チャンネルアップの指示の場合には、ステップＳ７で統合処理された複数のチャンネル内の最初のチャンネル、即ち一番数の少ない先頭のチャンネルを選局する。ステップＳ６でチャンネルダウンの指示と判定された場合には、統合処理された複数のチャンネル内の最後のチャンネル、即ち一番大きいチャンネル番号のチャンネルを選局する。
【００２９】
このＨＤＴＶ選局の場合において、上記実施例のようにチャンネルアップもしくはダウンの指示に基づいて、最初もしくは最後のチャンネルへと切換えることなく、アップ／ダウンのいずれの場合においても、常に固定されたチャンネル、例えば常に先頭のチャンネルだけを選局するように構成することも可能である。
【００３０】
このようにして処理されるチャンネルアップ／ダウン選局の概要を図３を用いて説明する。この例では、チャンネルを１００ＣＨからスタートし、１０１ＣＨ，１０２ＣＨと続き、次いで１２０ＣＨから上のチャンネルへと続き、最後のチャンネルが９９９ＣＨの場合を示している。そして１００ＣＨ，１０１ＣＨ及び１０２ＣＨでＨＤＴＶ放送が成されている状態を示している。アップもしくはダウン選局が行われている場合には、この１００ＣＨ〜１０２ＣＨを統合して１つのチャンネルとして取扱い、図３の場合には、常に先頭の１００ＣＨが選局されるようになっている。
【００３１】
従って、いま９９９ＣＨからチャンネルアップをさせると、１００ＣＨ、１２０ＣＨと選局されて行き、逆に１２０ＣＨからチャンネルダウン選局が成されると、１００ＣＨから９９９ＣＨへと移行する。現実には、１０１ＣＨと１０２ＣＨをスキップさせるように、３つのチャンネル１００ＣＨ〜１０２ＣＨを統合して、あたかも１００ＣＨの１つのチャンネルとして選局処理される。
【００３２】
このようにしてアップ／ダウン選局を行うことにより、ＨＤＴＶに携わる同じ内容を有する３つのＳＤＴＶ用独立チャンネルを重複して選局することはないが、この場合、視聴者は３つのチャンネルの内の、どのチャンネルを選局しているのか解らないために、不安に感じる場合も想定される。
【００３３】
このために、例えば図４に示すように、再生表示画面中に統合処理されている全チャンネルのチャンネル番号のデータをコントロール回路１４からＯＳＤ回路２１に供給して画面中に表示させ、且つ、実際に選局されている実チャンネルを大文字等で表示すれば、統合処理している状態が一目瞭然となり、不安感を与えることもない。
【００３４】
更に、現在受信しているＨＤＴＶ番組が終了した後に、引続きＳＤＴＶ放送を視聴したい場合には、予め設定した実チャンネルでは、チャンネルが継続しない場合も発生するので、３つのチャンネル表示を図５に示すように、夫々チャンネル毎に区分して表示し、この区分されたチャンネルをリモコン１３からのカーソル移動指示、もしくは左右キー、あるいはサイクリックに切換えられるように設定しておいて、実チャンネルの切換えができるように構成すれば、次の時間帯の視聴予定チャンネルと適合させることが可能で、視聴予定番組を見逃すこともなくなる。
【００３５】
また、更に改良を加えて、現在視聴をしているＨＤＴＶの放送時間終了の数分前、例えば３分前（この時間設定は、設計時に自由に設定することができる）に、図６に示すような統合処理されているチャンネルの後続番組を夫々各チャンネル毎に、現在受像中のＨＤＴＶの画面内に、チャンネル番号表示と同様にＯＳＤ回路２１を利用して表示させることにより、次のＳＤＴＶ放送の番組を確認できるように処理を行う。
【００３６】
このように、統合処理された各チャンネルの後続番組を表示すれば、見忘れ防止の効果を高めることができ、更に図７に示すように、この後続番組の内で視聴したい番組があった場合には、リモコン１３のキー選択で希望するチャンネルの予約設定をするように構成すれば、ＨＤＴＶの放送終了後に、次に視聴したい番組、即ちチャンネルに自動的に切換わり、視聴予定の番組を受像することができる。
【００３７】
この次の時間帯の番組表示は、多分割画面表示を可能とする構成の受像機であれば、ＨＤＴＶ放送を受信表示していない画面部分に表示させたり、あるいは親画面にＨＤＴＶを表示し、画面中の子画面に表示させるようなピクチャーインピクチャー（ＰＩＰ）、あるいは画面下部等にスーパーインポーズ等の方法で表示させることも可能である。
【００３８】
また本発明は、これらの他に種々の応用や変形が可能であり、例えば、デジタルテレビジョン放送は、ケーブルテレビジョン放送にも適用することが可能で、また圧縮伝送方式にＭＰＥＧ以外の圧縮伝送方式を採用した場合にも適用することが可能で、更に統合処理をしたチャンネルの実チャンネルを表示させるには、着色や太字、あるいは網掛け、形状変更等を行って、他のチャンネル表示と異なる形態で表示してもよく、先に述べた実施例に限定されないことは、明らかである。
【００３９】
【発明の効果】
本発明によれば、ＳＩ情報を用いてＳＤＴＶ放送と判定した場合には、各チャンネル毎にアップ／ダウン選局を行い、ＨＤＴＶと判定した場合には、これらＨＤＴＶを行うＳＤＴＶの複数チャンネルを統合して一つの番組として取扱い、アップ／ダウン選局を行うことにより、迅速な選局操作及び不必要な同じ画面内容を確認するといった煩わしさを解消したアップ／ダウン選局装置を提供することができる。
【００４０】
また、統合処理された各チャンネルの番号を画面中に表示可能とする構成にすれば、チャンネルがスキップされたことも判断することができ、更にはＨＤＴＶ放送画面であることも一目瞭然となる等の利点も生ずる。更にＨＤＴＶ放送の終了前に次の時間帯の統合された各チャンネルの番組名等を表示させることにより、現在受像中の番組が終了した場合においても、番組内容の確認が容易にでき、更に予約機能を内蔵させれば、自動的に次の番組の受像に移行することが可能となり、取り扱い操作にすぐれたアップ／ダウン選局装置を提供することができる。
【図面の簡単な説明】
【図１】本発明に係るアップ／ダウン選局装置を説明するための回路構成図。
【図２】本発明に係るアップ／ダウン選局装置の動作を説明するためのフローチャート図。
【図３】本発明に係るアップ／ダウン選局装置の選局動作状態を説明するための説明図。
【図４】本発明に係るアップ／ダウン選局装置の統合されたチャンネルの表示例を示す説明図。
【図５】本発明に係るアップ／ダウン選局装置の統合されたチャンネル間の選局を可能とした表示例を示す説明図。
【図６】本発明に係るアップ／ダウン選局装置の統合されたチャンネルの後続時間帯の番組表示例を示す説明図。
【図７】本発明に係るアップ／ダウン選局装置の後続時間帯の番組予約のための表示例を示す説明図。
【図８】現行のアップ／ダウン選局装置の選局状態を説明する説明図。
【図９】ＢＳデジタルテレビジョン放送でのＨＤＴＶ放送形態を説明するための説明図。
【図１０】同じくアップ／ダウン選局動作状態を説明するための説明図。
【符号の説明】
１２：チューナ
１３：リモコン
１４：コントロール回路
１７：多重データ分離回路
１９：テレビジョン受像装置
２０：ＭＰＥＧ映像再生回路
２１：ＯＳＤ回路
【図１】
0003777282.tif 000002
【図２】
0003777282.tif 000003
【図３】
0003777282.tif 000004
【図４】
0003777282.tif 000005
【図５】
0003777282.tif 000006
【図６】
0003777282.tif 000007
【図７】
0003777282.tif 000008
【図８】
0003777282.tif 000009
【図９】
0003777282.tif 000010
【図１０】
0003777282.tif 000011